(57)【特許請求の範囲】
【請求項１】
スロットの内側コイル用導体収容位置に軸方向一方側から挿通された多数の内側コイル用Ｕ字導体の先端を順次接続してなる内側コイルと、前記スロットの外側コイル用導体収容位置に軸方向一方側から挿通された多数の外側コイル用Ｕ字導体の先端を順次接続して前記内側コイルの径方向外側に配設される外側コイルと、前記内側コイルの一端と前記外側コイルの一端とを接続するコイル間渡り線とを備え、
前記内側コイル及び外側コイルの頭部側コイルエンドは、前記Ｕ字導体の頭部先端部と、この頭部先端部の両端から周方向及び軸方向に対して斜設されて前記スロットに達する一対の頭部斜行部とにより構成される回転電機のステータコイルにおいて、
前記コイル間渡り線は、
前記内側コイルの頭部斜行部と径方向等位置にて周方向及び軸方向に対して斜設されて前記スロットに達する内側の斜行渡り部と、前記外側コイルの頭部斜行部と径方向等位置にて周方向及び軸方向に対して前記内側の斜行渡り部と同方向で且つ対向状態に斜設されて前記スロットに達する外側の斜行渡り部と、これら互いに異なる位置で斜設された内側及び外側の斜行渡り部を周方向に延びて連接する頭部渡り部とを有し、
前記頭部渡り部は、
内側コイルの頭部先端部と外側コイルの頭部先端部との間のコイル間窪み部に収容されて周方向へ延在する周方向渡り部と、
前記周方向渡り部の一端から前記内側コイルの前記頭部先端部の間のセグメント間隙間に収容されて略径内方向へ延在し、前記内側の斜行渡り部に達する前記内側の径方向渡り部と、
前記周方向渡り部の他端から前記外側コイルの前記頭部先端部の間のセグメント間隙間に収容されて略径外方向へ延在し、前記外側の斜行渡り部に達する前記外側の径方向渡り部と、
を有することを特徴とする回転電機のステータコイル。
【請求項２】
請求項１記載の回転電機のステータコイルにおいて、
前記径方向渡り部及び周方向渡り部は、前記内側コイル用Ｕ字導体及び外側コイル用Ｕ字導体の頭部先端部よりも軸方向に突出しない位置に配置される回転電機のステータコイル。
【請求項３】
請求項１記載の回転電機のステータコイルにおいて、
前記周方向渡り部は、軸方向へ平坦な一対の側面を有する平角線からなる回転電機のステータコイル。
【請求項４】
請求項３記載の回転電機のステータコイルにおいて、
前記Ｕ字導体及び前記コイル間渡り線は、平角線からなり、
前記コイル間渡り線の径方向渡り部と、この径方向渡り部に周方向に隣接する前記Ｕ字導体の頭部先端部とは互いに平行に対面する側面をそれぞれ有する回転電機のステータコイル。
【請求項５】
請求項１記載の回転電機のステータコイルにおいて、
前記一対の斜行渡り部は、隣接する頭部斜行部と同方向に斜行している回転電機のステータコイル。
【発明の詳細な説明】
【技術分野】
【０００１】
本発明は、Ｕ字導体順次接続式コイルをもつ回転電機のステータコイルに関する。
【背景技術】
【０００２】
Ｕ字導体順次接続式コイルが、たとえば車両用交流発電機などの回転電機のステータコイルとして提案され、実用化されている。下記の特許文献１〜２１は、本出願人により出願されたＵ字導体順次接続式コイルの一部である。このＵ字導体順次接続式コイルは、Ｕ字導体の一対の脚部をステータコアの一端面側からステータコアの略１磁極ピッチ離れたスロットに個別に挿通し、ステータコアの他端面側にて相ごとに直列接続して構成される。
【０００３】
Ｕ字導体は、Ｕ字状の頭部先端部と、この頭部先端部の両端から個別に延在する一対の頭部斜行部と、これら一対の頭部斜行部から延在してスロットに個別に収容される一対のスロット導体部と、これら一対のスロット導体部から個別に延在する一対の端部斜行部と、端部斜行部の先端部により構成されて他のＵ字導体の端部斜行部の先端部に接合される端部先端部（接合部）とからなる。
【０００４】
頭部先端部及び頭部斜行部は頭部側コイルエンドを構成し、頭部斜行部及び端部先端部は端部側コイルエンドを構成する。スロット導体部と頭部斜行部と端部先端部とは脚部を構成している。各スロットは径方向において偶数個の導体収容位置をそれぞれ有している。各Ｕ字導体の一対のスロット導体部は、互いに異なる導体収容位置に収容されている。端部先端部が互いに接合される一対のＵ字導体のスロット導体部は、互いに異なる収容位置に収容されている。一本のＵ字導体の一対のスロット導体部を略１磁極ピッチ離隔するために、このＵ字導体の頭部斜行部及び頭部斜行部は周方向へ曲げられている。典型的な製造方法では、各頭部斜行部及び頭部斜行部はほぼ半磁極ピッチだけ周方向へ斜行している。
【０００５】
Ｕ字導体の頭部斜行部を周方向へ展開するために、松葉状に形成された未展開のＵ字導体の上記頭部斜行部予定部分は相対的に１磁極ピッチ捻られる。Ｕ字導体の一対の頭部斜行部予定部分の周方向への捻り（展開）は、Ｕ字導体のスロット導体部予定部分を一対のリング（回動リング又は捻りリングとも呼ぶ）で保持しつつ、この一対のリングを１磁極ピッチ相対回動させることにより実現される。更に説明すると、松葉状の未展開Ｕ字導体のスロット導体部予定部分を保持しつつ相対回動することによりＵ字導体の一対の頭部斜行部予定部分を周方向へ展開させて頭部斜行部となす頭部展開工程が実行される。
【０００６】
同様に、Ｕ字導体の端部斜行部を周方向へ展開するために、頭部斜行部が展開されたＵ字導体のスロット導体部をステータコアのスロットに挿入した後、端部斜行部予定部分をステータコアのスロットに挿通した後、端部先端部予定部分を一対のリングで保持しつつこの一対のリングを１磁極ピッチ相対回動させることにより、一対の端部斜行部予定部分を周方向へ捻って（展開して）端部斜行部となす端部展開工程が実行される。典型的なコイル捻り装置とその動作についてはたとえば下記の特許文献２、特許文献２０及び特許文献２１に開示されている。
【０００７】
一つのＵ字導体の一対の端部先端部は互いに異なる２つの導体収容位置に個別に収容される。２つのＵ字導体の直列接続は、一方のＵ字導体の端部先端部と、この端部先端部に径方向に隣接する他方のＵ字導体の端部先端部とを接合することにより行われる。一例において、各スロットの周方向に隣接する２つの導体収容位置を用いて一つのＵ字導体順次接続式コイルを構成することができる。これを２位置型Ｕ字導体順次接続式コイルと称する。他例において、各スロットの周方向に隣接する４つの導体収容位置を用いて一つのＵ字導体順次接続式コイルを構成することができる。これを４位置型Ｕ字導体順次接続式コイルと称する。４位置型Ｕ字導体順次接続式コイルは、径方向最内側の導体収容位置と径方向最外側の導体収容位置とに一対の脚部が個別に収容される大セグメントと、径方向二番目の導体収容位置と径方向三番目の導体収容位置とに一対の脚部が個別に収容される小セグメントとが用いられる。頭部側コイルエンドにおいて、大セグメントの頭部先端部は小セグメントの頭部先端部を包むように配置される。
【０００８】
このようにして構成された各相コイルをたとえば星形接続してＵ字導体順次接続式コイルが完成される。各相コイル（一相のＵ字導体順次接続式コイル）の中性点引き出し線及び相出力引き出し線は、適切な部位でＵ字状セグメントのＵ字状の頭部を分割することにより、あるいは、２つのI字導体により構成することができる。
【０００９】
スロットの導体収容位置を増加することにより、スロットの２つの導体収容位置を占有する２位置型Ｕ字導体順次接続式コイル、もしくは、スロットの４つの導体収容位置を占有する４位置型Ｕ字導体順次接続式コイルを径方向へ複数配置できることは明白である。更に詳しく説明すると、２位置型Ｕ字導体順次接続式コイルではスロットの互いに隣接する２つの導体収容位置がＵ字導体のスロット導体部により占有され、４位置型Ｕ字導体順次接続式コイルではスロットの互いに隣接する２つの導体収容位置がＵ字導体のスロット導体部により占有される。上記２位置型Ｕ字導体順次接続式コイルや４位置型Ｕ字導体順次接続式コイルを径方向に重ねて配置すれば、モータ出力を向上することができる。
【００１０】
以下、この方式を複数コイル径方向重ね構造と称し、これら複数のコイルのうち、径方向内側のコイル（すなわち内側のＵ字導体順次接続式コイル）を内側コイルと称し、径方向外側のコイル（すなわち外側のＵ字導体順次接続式コイル）を外側コイルと略称する。
【００１１】
上記した複数コイル径方向重ね構造における頭部斜行部及び斜行渡り部の形成のために、内側コイル用Ｕ字導体と外側コイル用Ｕ字導体とを、多重回動リングを用いて一斉同時に捻る方法が提案されている。以下、この方式を一斉捻り方式又は一斉回動方式と呼ぶ。
【００１２】
上記した内側コイル及び外側コイルからなる複数コイル径方向重ね配置方式では、同相の内側コイルと外側コイルとを直列接続するために、外側コイルの最終（最初でもよい）のスロット導体部と、内側コイルの最初（最終でもよい）のスロット導体部と、これら２つのスロット導体部を連ねる特別形状の頭部とをもつコイル間渡り線を用いて、内側コイルと外側コイルとを直列接続することが好適である。
【００１３】
上記説明したＵ字導体順次接続式コイル及びその製造方法は、既述した下記の特許文献などによりもはや周知技術のレベルに達しているため、これ以上の従来技術説明は省略する。このＵ字導体順次接続式コイルは、明らかに古来の巻回式のステータコイルに比べて巻き線構造が簡単となる結果、スロット占積率向上やコイルエンドのコンパクト化を実現することができるうえ、巻き線工程も簡素化することができる。
【特許文献１】特許第３１１８８３７号公報
【特許文献２】特許第３１７８４６８号公報
【特許文献３】特許第３１９９０６８号公報
【特許文献４】特開２０００−１３９０４９号公報
【特許文献５】特開２０００−３５０４２３号公報
【特許文献６】特開２００１−０４５７２１号公報
【特許文献７】特開２００１−０６９７３１号公報
【特許文献８】特開２００１−２４５４４７号公報
【特許文献９】特開２００２−２１８６８９号公報
【特許文献１０】特開２００３−１８９５２０号公報
【特許文献１１】特開２００４−０３２８８２号公報
【特許文献１２】特開２００４−０３２８８４号公報
【特許文献１３】特開２００４−０３２８９０号公報
【特許文献１４】特開２００４−０３２８９７号公報
【特許文献１５】特開２００４−０４８９３９号公報
【特許文献１６】特開２００４−０４８９４１号公報
【特許文献１７】特開２００４−０４８９６７号公報
【特許文献１８】特開２００４−０６４９１４号公報
【特許文献１９】特開２００４−１６６３１６号公報
【特許文献２０】特開２００５−６３６４号公報
【特許文献２１】特開２００５−２１１９５１号公報
【発明の開示】
【発明が解決しようとする課題】
【００１４】
しかしながら、上記した内側コイル及び外側コイルからなる複数コイル径方向重ね配置方式において、従来のコイル間渡り線は、内側コイル及び外側コイルの軸方向外側に延設されるため、頭部側コイルエンドの軸方向長（コイルエンド高さ）を増大させ、その分だけ、回転電機を大型大重量とするという問題があった。
【００１５】
本発明は上記問題点に鑑みなされたものであり、頭部側コイルエンドの軸方向長を低減して回転電機の小型軽量化を実現した回転電機のステータコイルを提供することをその目的としている。
【課題を解決するための手段】
【００１６】
上記課題を解決する各発明は、スロットの内側コイル用導体収容位置に軸方向一方側から挿通された多数の内側コイル用Ｕ字導体の先端を順次接続してなる内側コイルと、前記スロットの外側コイル用導体収容位置に軸方向一方側から挿通された多数の外側コイル用Ｕ字導体の先端を順次接続して前記内側コイルの径方向外側に配設される外側コイルと、前記内側コイルの一端と前記外側コイルの一端とを接続するコイル間渡り線とを備え、前記内側コイル及び外側コイルの頭部側コイルエンドは、前記Ｕ字導体の頭部先端部と、この頭部先端部の両端から周方向及び軸方向に対して斜設されて前記スロットに達する一対の頭部斜行部とにより構成される回転電機のステータコイルにおいて、前記コイル間渡り線は、前記内側コイルの頭部斜行部と径方向等位置にて周方向及び軸方向に対して斜設されて前記スロットに達する内側の斜行渡り部と、前記外側コイルの頭部斜行部と径方向等位置にて周方向及び軸方向に対して前記内側の斜行渡り部と同方向で且つ対向状態に斜設されて前記スロットに達する外側の斜行渡り部と、これら互いに異なる位置で斜設された内側及び外側の斜行渡り部を周方向に延びて連接する頭部渡り部とを有し、前記頭部渡り部は、内側コイルの頭部先端部と外側コイルの頭部先端部との間のコイル間窪み部に収容されて周方向へ延在する周方向渡り部と、前記周方向渡り部の一端から前記内側コイルの前記頭部先端部の間のセグメント間隙間に収容されて略径内方向へ延在し、前記内側の斜行渡り部に達する前記内側の径方向渡り部と、前記周方向渡り部の他端から前記外側コイルの前記頭部先端部の間のセグメント間隙間に収容されて略径外方向へ延在し、前記外側の斜行渡り部に達する前記外側の径方向渡り部と、を有することを特徴とする。
【００１７】
すなわち、本発明は内側コイルと外側コイルとを含む複数コイル径方向重ね配置方式のステータコイルに用いられ、内側の斜行渡り部と外側の斜行渡り部とそれらを連ねる頭部渡り部とをもつコイル間渡り線の形状にその特徴を有している。
【００１８】
なお、更に説明すると、この発明のコイル間渡り線は、内側コイルの最初（または最終）のスロット導体部と、このスロット導体部の一端から頭部側コイルエンド側に飛び出して周方向へ斜行する内側の斜行渡り部と、この斜行渡り部から径方向外側へ延在する頭部渡り部と、この頭部渡り部から周方向へ斜行する外側の斜行渡り部と、この斜行渡り部に連なる外側コイルの最終（又は最初）のスロット導体部とを有する。更に、これら一対のスロット導体部の他端には端部側コイルエンドにおいて、他のＵ字導体に接続される。
【００１９】
第１発明は特に、頭部渡り部が、内側コイル用Ｕ字導体及び外側コイル用Ｕ字導体の頭部先端部よりも軸方向へ突出しない位置に配設されていることを特徴としている。
【００２０】
この発明では、コイル間渡り線が内側コイル及び外側コイルよりも軸方向内側に配置されるため、頭部側コイルエンドの軸方向長の増加を防止することができ、その結果として回転電機の小型軽量化を実現することができる。
【００２４】
また、コイル間渡り線の頭部渡り部が、内側コイル用Ｕ字導体の互いに隣接する頭部先端部の間の略径方向隙間と、内外コイル間の周方向窪み部と、外側コイル用Ｕ字導体の互いに隣接する頭部先端部の間の略径方向隙間とを縫って延設されるため、コイル間渡り線が内側コイルや外側コイルよりも軸方向外側に突出するのを抑止することができ、その結果として内側コイル及び外側コイルとコイル間渡り線との干渉を防止しつつ内側コイルや外側コイルをコンパクトに形成することができるため、回転電機の小型軽量化を促進することができる。
【００２５】
好適な態様において、径方向渡り部及び周方向渡り部は、内側コイル用Ｕ字導体及び外側コイル用Ｕ字導体の頭部先端部よりも軸方向に突出しない位置に配置される。これにより、回転電機の小型軽量化を実現することができる。
【００２６】
好適な態様において、コイル間渡り線の周方向渡り部は、軸方向へ平坦な一対の側面を有する平角線からなる。これにより、周方向渡り部を良好に内側コイルと外側コイルとの間のコイル間窪み部に収容することができる。
【００２７】
好適な態様において、前記Ｕ字導体及び前記コイル間渡り線は、平角線からなり、前記コイル間渡り線の径方向渡り部と、この径方向渡り部に周方向に隣接する前記Ｕ字導体の頭部先端部とは互いに平行に対面する側面をそれぞれ有する。これにより、コイル間渡り線の径方向渡り部を互いに周方向に隣接する内側コイル用Ｕ字導体及び外側コイル用Ｕ字導体の頭部先端部の間に良好に収容することができる。
【００２８】
好適な態様において、前記一対の斜行渡り部は、隣接する頭部斜行部と同方向に斜行している。これにより、コイル間渡り線の斜行渡り部を互いに周方向に隣接する内側コイル用Ｕ字導体及び外側コイル用Ｕ字導体の頭部斜行部の間に良好に収容することができる。
【００２９】
上記各発明のコイル間渡り線は、予め頭部側が最終形状に形成された端部側未展開コイル間渡り線を、他の端部側未展開のＵ字導体をステータコアのスロットに嵌挿する前又は後又は同時に挿入することができる。
【００３０】
その他、斜行渡り部がまだ形成されていない未展開のコイル間渡り線用導体を、内側コイル用Ｕ字導体又は外側コイル用Ｕ字導体またはそれら両方と同時に多重回動リングを用いて一斉展開してもよい。ただし、コイル間渡り線用導体の展開角度が、内側コイル用Ｕ字導体又は外側コイル用Ｕ字導体の展開角度より大きい場合には、多重回動リングを予備的に回動して、コイル間渡り線用導体を予備展開しておき、その後、内側コイル用Ｕ字導体、外側コイル用Ｕ字導体及び予備展開されたコイル間渡り線用導体を一斉展開してもよい。
【発明を実施するための最良の形態】
【００３１】
本発明を車両用交流発電機のステータコイルとして採用した実施形態を図面を用いて説明する。ただし、本発明は下記の実施形態に限定解釈されるべきではなく、本発明の技術思想を他の公知技術等を用いて実施しても良いことは当然である。
【００３２】
（実施形態１）
（全体構造の説明）
この車両用交流発電機の軸方向断面図を図１に示す。ただし、図１においてステータコイル１２は模式的に図示されている。交流発電機は電機子として働く固定子１０と、界磁子として働く回転子５０と、フロントハウジング６１及びリアハウジング６２と、交流電力を直流電力に変換する整流器６５とを備えている。回転子５０はシャフト５１と一体に回転するもので、ランデル型ポールコア５２、界磁コイル５３、スリップリング５４、斜流ファン５６及び遠心ファン５７を備えている。ランデル型ポールコア５２は一組のポールコア５２ａ及び５２ｂを組合わせて構成されている。シャフト５１はプーリ５８を通じて車両エンジンにより回転駆動される。フロントハウジング６１及びリアハウジング６２は回転子５０を支持するとともに固定子１０を挟持している。
【００３３】
固定子１０は、ステータコア１１と、ステータコア１１に巻装されたステータコイル１２とからなる。ステータコイル１２は、多数のＵ字導体を順次接続して構成された公知のＵ字導体順次接続式コイルである。１３はステータコイル１２のうちステータコア１１からリヤ側に突出する頭部側コイルエンド、１４はステータコイル１２のうちステータコア１１からフロント側に突出する端部側コイルエンドである。したがって、Ｕ字導体順次接続式コイルを構成する各Ｕ字導体は、ステータコア１１の各スロットにリヤ側からフロント側へ貫挿されている。各Ｕ字導体の先端部は相ごとに順次接続されて３つの相コイルが形成され、各相コイルが三相星形巻線されてステータコイル１２を構成している。
【００３４】
図１に示す実施例では、各Ｕ字導体の一対の脚部は１磁極ピッチ離れた一対のスロットに個別に収容されている。図１において、スロットは、径方向に８つの導体収容位置をもち、径方向内側から１〜４番目の導体収容位置に内側コイル用Ｕ字導体が挿通され、径方向内側から５〜８番目の導体収容位置に外側コイル用Ｕ字導体が挿通されている。各内側コイル用Ｕ字導体は端部側にて順次接続されて内側コイルを構成し、各外側コイル用Ｕ字導体は端部側にて順次接続されて外側コイルを構成している。内側コイル及び外側コイルはそれぞれ３相の相コイルにより構成され、内側コイル及び外側コイルの同相の相コイルは後述するコイル間渡り線により直接接続されている。この実施例では、内側コイルの各相コイルの残る端部は相互に接続されて中性点を構成し、外側コイルの各相コイルの残る端部はそれぞれの相の外部引き出し線を構成している。
【００３５】
（頭部側コイルエンドの説明）
頭部側コイルエンド１３は、各Ｕ字導体のＵ字状頭部により構成されている。このＵ字状頭部は、Ｕ字状の頭部先端部とこの頭部先端部の両端から軸方向スロットへ向けて近づきつつ周方向へ略半磁極ピッチ延在する（斜行する）一対の頭部斜行部とからなる。同じＵ字状頭部の一方の頭部斜行部と他方の頭部斜行部とは径方向に１導体収容位置ピッチだけずらして配置され、Ｕ字状の頭部先端部は略径方向に延在してこれら一対の頭部先端部を連ねている。
【００３６】
なお、端部側コイルエンド１４は、各Ｕ字導体の飛び出し端部からなる。この飛び出し端部は、スロットから出た後、軸方向スロットから離れる向きへ延在しつつ周方向へ略半磁極ピッチだけ延在する（斜行する）一対の端部斜行部と、端部斜行部の先端から軸方向に突出する端部先端部とからなる。内側コイル用Ｕ字導体の互いに径方向に隣接する一対の端部先端部は溶接され、外側コイル用Ｕ字導体の互いに径方向に隣接する一対の端部先端部は溶接されている。
【００３７】
この実施例では、内側コイル及び外側コイルは、既述した互いに径方向に隣接する４つの導体収容位置を占めるＵ字導体により構成される４位置型Ｕ字導体順次接続式コイルからなり、形状及び構造は本質的に同じである。内側コイルに用いる内側コイル用Ｕ字導体を図２を参照して説明する。外側コイルに用いる外側コイル用Ｕ字導体の形状及び構造も図２に示すものと同じである。
【００３８】
図２において、各スロットの径方向に連続する４つの導体収容位置のうち１、４番目の導体収容位置に頭部曲率半径が大きいＵ字導体である大セグメント１７が挿通され、２、３番目の導体収容位置に頭部曲率半径が小さいＵ字導体である小セグメント２７が挿通されている。大セグメント１７のうち一対のスロット挿入部分をスロット導体部１８ａ、１８ｂと称する。小セグメント２７のうち一対のスロット挿入部分をスロット導体部２８ａ、２８ｂと称する。１９は大セグメント１７のＵ字状頭部、２９は小セグメント２７のＵ字状頭部である。大セグメント１７は、一対の飛び出し端部２１ａ及び２１ｂをもち、飛び出し端部２１ａ及び２１ｂは端部斜行部２２ａ及び２２ｂと、端部先端部２３ａ及び２３ｂとをもつ。同様に、小セグメント２７は、一対の飛び出し端部３１ａ及び３１ｂをもち、飛び出し端部３１ａ及び３１ｂは端部斜行部３２ａ及び３２ｂと、端部先端部３３ａ及び３３ｂとをもつ。端部先端部２３ｂと３３ｂは溶接されて溶接部４１aとなり、端部先端部２３ａ、３３ａは溶接されて溶接部４１bとなる。結局、４位置型Ｕ字導体順次接続式コイルでは、小セグメント２７とこれを囲む大セグメント１７とにより構成されることがわかる。
【００３９】
この大セグメント１７と小セグメント２７とのペアをそれぞれ用いたステータコイル１２の頭部側コイルエンド１３の形状を図３に示す。１００は内側コイル、２００は外側コイルである。図３において、１７aは、大きなＵ字導体である大セグメント１７の頭部先端部、２７aは、小さいＵ字導体である小セグメント２７の頭部先端部、１７bは大セグメント１７の径方向内側の頭部斜行部、１７cは大セグメント１７の径方向外側の頭部斜行部、２７bは小セグメント２７の径方向内側の頭部斜行部、２７cは小セグメント２７の径方向外側の頭部斜行部、１７dは大セグメント１７の内側のスロット導体部、１７eは大セグメント１７の外側のスロット導体部、２７dは小セグメント２７の内側のスロット導体部、２７eは小セグメント２７の外側のスロット導体部である。
【００４０】
ステータコア１１のスロットは、径方向に８つの導体収容位置Ｃ１〜Ｃ８を有している。導体収容位置Ｃ１〜Ｃ４には内側コイル１００を構成する大セグメント１７及び小セグメント２７のスロット導体部１７d、２７d、２７e、１７eが収容されている。導体収容位置Ｃ５〜Ｃ８には外側コイル２００を構成する大セグメント１７及び小セグメント２７のスロット導体部１７d、２７d、２７e、１７eが収容されている。
【００４１】
上記した４位置型Ｕ字導体順次接続式コイルの標準の構造及び製造方法については、先に記載した各特許文献たとえば特許文献２０等に詳述されてもはや周知となっているため、これ以上の説明を省略する。ただし、本発明は、上記した４位置型Ｕ字導体順次接続式コイル以外にたとえば２位置型Ｕ字導体順次接続式コイルなどにも採用できることはもちろんである。
【００４２】
（特徴構造の説明）
この実施形態の特徴部分を図３〜図６を参照して以下に詳しく説明する。図３は頭部側コイルエンド１３近傍の側面図であり、図４は頭部側コイルエンド１３のコイル間渡り線３００近傍を周方向に展開した状態を示す周方向部分展開図である。
【００４３】
図３において、３００は、内側コイル１００と外側コイル２００とを相ごとに直列接続するためのコイル間渡り線である。コイル間渡り線３００は、内側コイルの一端と外側コイル２００の一端とを接続するコイル間渡り線である。コイル間渡り線３００は、所定のスロットの導体収容位置Ｃ１に収容される内側のスロット導体部３０１と、所定のスロットの導体収容位置Ｃ８に収容される外側のスロット導体部３０２と、スロット導体部３０１から延設されて内側コイル１００の頭部斜行部１７bと周方向同じ向きに斜設される内側の斜行渡り部３０３と、スロット導体部３０２から延設されて外側コイル２００の頭部斜行部１７cと周方向同じ向きに斜設される外側の斜行渡り部３０４と、２つの斜行渡り部３０３、３０４を連ねる頭部渡り部３０５とからなる。スロット導体部３０１は、内側コイル１００の最初（または最終）のスロット導体部を構成しており、スロット導体部３０２は、外側コイル２００の最終（又は最初）のスロット導体部を構成している。
【００４４】
この実施形態では、図３、図４に示すように、頭部渡り部３０５が内側コイル１００及び外側コイル２００の大セグメント１７の頭部先端部１７aよりも軸方向外側へ突出しない位置に配設されている。このため、頭部側コイルエンド１３の軸方向長を短縮することができる。
【００４５】
この実施形態では更に、コイル間渡り線３００の内側の斜行渡り部３０３が、内側コイル１００の径方向最内側の頭部斜行部１７bと径方向等位置にてそれと同一方向に斜設され、更に、コイル間渡り線３００の外側の斜行渡り部３０４が、外側コイル２００の径方向最外側の頭部斜行部１７cと径方向等位置にてそれと同一方向に斜設されている。すなわち、コイル間渡り線３００の頭部渡り部３０５の径方向内端に連なって周方向かつ軸方向へ斜行する内側の斜行渡り部３０３は、各大セグメント１７の内側の頭部斜行部１７bの一つが占有するべき位置にて内側コイル１００の最内側に空間配置されるため、この内側の斜行渡り部３０３から頭部渡り部３０５への連続と方向変換とが、他の大セグメント１７の各部に邪魔されることが無い。同様に、コイル間渡り線３００の頭部渡り部３０５の径方向外端に連なって周方向かつ軸方向へ斜行する外側の斜行渡り部３０４も、各大セグメント１７の外側の頭部斜行部１７cが占有すべき位置にて外側コイル２００の最外側に空間配置されるため、この外側の斜行渡り部３０４から頭部渡り部３０５への連続と方向変換とが、他の大セグメント１７の各部に邪魔されることが無い。つまり、コイル間渡り線３００を他のＵ字導体との空間干渉を抑止して、コンパクトに配置することができる。
【００４６】
頭部側コイルエンド１３のコイル間渡り線３００近傍を軸方向後方から見た状態を図５に示す。頭部渡り部３０５は、後述する周方向渡り部３０５１と、内側の径方向渡り部３０５２と、外側の径方向渡り部３０５３とからなる。周方向渡り部３０５１は、内側コイル１００の頭部先端部１７aと外側コイル２００の頭部先端部１７aとの間に位置して周方向へ延在するコイル間窪み部xに収容されて周方向へ延在する。
【００４７】
内側の径方向渡り部３０５２は、周方向渡り部３０５１の一端から内側コイル１００の大セグメント１７の頭部先端部１７aの間のセグメント間隙間yに収容されて略径内方向へ延在している。すなわち、内側の径方向渡り部３０５２は、内側コイル１００の各大セグメント１７の頭部先端部１７aの一つが占めるべき位置にて他の頭部先端部１７ａと同様に略径方向に延在している。
【００４８】
外側の径方向渡り部３０５３は、周方向渡り部３０５１の他端から外側コイル２００の大セグメント１７の頭部先端部１７aの間のセグメント間隙間zに収容されて略径外方向へ延在している。すなわち、外側の径方向渡り部３０５３は、外側コイル２００の各大セグメント１７の頭部先端部１７aの一つが占めるべき位置にて他の頭部先端部１７ａと同様に略径方向に延在している。
【００４９】
なお、図５では理解を容易とするため、互いに隣接する２つの大セグメント１７の頭部先端部１７ａ間のセグメント間隙間y、zを大きく図示しているが、実際にはこれらセグメント間隙間y、zは更に縮小可能である。
【００５０】
コイル間渡り線３００の頭部渡り部３０５を図５に示すように略クランク形状に形成することにより、コイル間渡り線３００の頭部渡り部３０５をコンパクトに配置できるとともに、頭部側コイルエンド１３の軸方向突出長を縮小することができる。また、頭部渡り部３０５の周方向渡り部３０５１の長さ及び位置を調節することにより、外側コイル２００と相ごとに接続すべき内側コイル１００の相ごとの開始（又は終了）位置を適切に選択することができる。同じく、内側コイル１００と相ごとに接続すべき外側コイル２００の相ごとの終了（又は開始）位置を適切に選択することができる。
【００５１】
（実施例効果）
結局、この実施例によれば、コイル間渡り線３００をコンパクトかつ内側コイル１００及び外側コイル２００との空間的干渉を抑止しつつ配置できるため、頭部側コイルエンド１３における電気絶縁を確保しつつ、頭部側コイルエンドの軸方向長の増加を防止することができ、その結果として回転電機の小型軽量化を実現することができる。
【００５２】
また、この実施例では、コイル間渡り線３００の周方向渡り部３０５１は、図４に示すように、軸方向へ向けて平坦な側面Ｓ１及び径方向へ向けて平坦な側面Ｓ２を有する平角線からなる。これにより、周方向渡り部３０５１を良好に内側コイル１００の大セグメント１７の頭部先端部１７ａと外側コイル２００の大セグメント１７の頭部先端部１７ａとの間のコイル間窪み部xに収容することができ、周方向渡り部３０５１の軸方向外側への突出を抑止することができる。
【００５３】
また、この態様によれば、大セグメント１７、小セグメント２７及びコイル間渡り線３００がそれぞれ平角線からなり、かつ、コイル間渡り線３００の内側の径方向渡り部３０５２及び外側の径方向渡り部３０５３と、これら径方向渡り部３０５１、３０５２に対して周方向に隣接する大セグメント１７の頭部先端部１７ａとが互いに略平行に対面する側面をそれぞれ有するので、言い換えれば、コイル間渡り線３００の径方向渡り部３０５１、３０５２が、各大セグメント１７の頭部先端部１７ａの一つが占めるべき位置にて略径方向へ延設したので、コイル間渡り線３００の径方向渡り部３０５１、３０５２を大セグメント１７の頭部先端部１７ａの間に位置して略径方向へ延在するセグメント間隙間y、zに良好に収容することができる。
【００５４】
更に、この態様によれば、頭部渡り部３０５の一対の斜行渡り部３０３、３０４は、周方向に隣接する大セグメント１７の頭部斜行部１７b、１７cと同方向に斜行し、しかも互いに対面する斜行渡り部３０３、３０４としているので、これにより、コイル間渡り線３００の斜行渡り部３０３、３０４と頭部斜行部１７b、１７cとは互いに対面する略平行な平坦側面を有している。言い換えれば、コイル間渡り線３００の斜行渡り部３０３、３０４は、各大セグメント１７の頭部斜行部１７b、１７cの一つが占めるべき位置にて隣接する頭部斜行部１７b、１７cと平行に対面配置させたので、斜行渡り部３０３、３０４をコンパクトに配置することができた。
【００５５】
（実施形態２）
コイル間渡り線３００の他の実施形態を図６〜図８を参照して以下に詳しく説明する。この実施形態は、コイル間渡り線３００を導体収容位置Ｃ２、Ｃ７間に配置する点をその特徴としている。図６は頭部側コイルエンド１３近傍の側面図であり、図７は頭部側コイルエンド１３のコイル間渡り線３００近傍を周方向に展開した状態を示す周方向部分展開図である。
【００５６】
図６において、コイル間渡り線３００は、導体収容位置Ｃ２に収容される内側のスロット導体部３０１と、導体収容位置Ｃ７に収容される外側のスロット導体部３０２と、スロット導体部３０１から延設されて内側コイル１００の頭部斜行部２７bと周方向同じ向きに斜設される内側の斜行渡り部３０３と、スロット導体部３０２から延設されて外側コイル２００の頭部斜行部２７cと周方向同じ向きに斜設される外側の斜行渡り部３０４と、２つの斜行渡り部３０３、３０４を連ねる頭部渡り部３０５とからなる。スロット導体部３０１は、内側コイル１００の最初（または最終）のスロット導体部を構成しており、スロット導体部３０２は、外側コイル２００の最終（又は最初）のスロット導体部を構成している。
【００５７】
この実施形態では、図６、図７に示すように、頭部渡り部３０５が内側コイル１００及び外側コイル２００の大セグメント１７の頭部先端部１７aよりも軸方向外側へ突出しない位置に配設されている。このため、頭部側コイルエンド１３の軸方向長を短縮することができる。
【００５８】
この実施形態では更に、コイル間渡り線３００の内側の斜行渡り部３０３が、内側コイル１００の頭部斜行部２７bと径方向等位置にてそれと同一方向に斜設され、更に、コイル間渡り線３００の外側の斜行渡り部３０４が、外側コイル２００の頭部斜行部２７cと径方向等位置にてそれと同一方向に斜設されている。すなわち、コイル間渡り線３００の頭部渡り部３０５の径方向内端に連なって周方向かつ軸方向へ斜行する内側の斜行渡り部３０３は、各小セグメント２７の内側の頭部斜行部２７bの一つが占有するべき位置に空間配置されているため、この内側の斜行渡り部３０３から頭部渡り部３０５への連続と方向変換とが、他の小セグメント２７の各部に邪魔されることが無い。同様に、コイル間渡り線３００の頭部渡り部３０５の径方向外端に連なって周方向かつ軸方向へ斜行する外側の斜行渡り部３０４も、各小セグメント２７の外側の頭部斜行部２７cが占有すべき位置にて空間配置されるため、この外側の斜行渡り部３０４から頭部渡り部３０５への連続と方向変換とが、他の小セグメント２７の各部に邪魔されることが無い。つまり、コイル間渡り線３００を他のＵ字導体との空間干渉を抑止して、コンパクトに配置することができる。
【００５９】
頭部側コイルエンド１３のコイル間渡り線３００近傍を軸方向後方から見た状態を図８に示す。頭部渡り部３０５は、後述する周方向渡り部３０５１と、内側の径方向渡り部３０５２と、外側の径方向渡り部３０５３とからなる。周方向渡り部３０５１は、内側コイル１００の頭部先端部１７aと外側コイル２００の頭部先端部１７aとの間に位置して周方向へ延在するコイル間窪み部xに収容されて周方向へ延在する。
【００６０】
内側の径方向渡り部３０５２は、周方向渡り部３０５１の一端から内側コイル１００の大セグメント１７の頭部先端部１７aの間のセグメント間隙間yに収容されて略径内方向へ延在している。ただし、この実施形態２では、実施形態１とは異なり、内側の径方向渡り部３０５２は、内側コイル１００の各大セグメント１７の頭部先端部１７aの一つが占めるべき位置にて他の頭部先端部１７ａと同様に略径方向に延在していない。その代わりに、この実施形態２では、内側の径方向渡り部３０５２は、内側コイル１００の各小セグメント２７の頭部先端部２７aの一つが占めるべき位置にて他の頭部先端部２７ａと同様に略径方向に延在している。
【００６１】
外側の径方向渡り部３０５３は、周方向渡り部３０５１の他端から外側コイル２００の大セグメント１７の頭部先端部１７aの間のセグメント間隙間zに収容されて略径外方向へ延在している。ただし、この実施形態２では、実施形態１とは異なり、外側の径方向渡り部３０５３は、外側コイル２００の各大セグメント１７の頭部先端部１７aの一つが占めるべき位置にて他の頭部先端部１７ａと同様に略径方向に延在していない。その代わりに、この実施形態２では、外側の径方向渡り部３０５３は、外側コイル２００の各小セグメント２７の頭部先端部２７aの一つが占めるべき位置にて他の頭部先端部２７ａと同様に略径方向に延在している。したがって、この実施形態２のコイル間渡り線３００は、互いに周方向に隣接する大セグメント１７の二つの頭部先端部１７ａ、１７aの間のセグメント間隙間y、zが確保される必要がある。また、この実施形態では、コイル間渡り線３００の径方向渡り部３０５２、３０５３と大セグメント１７の頭部先端部１７ａとの間の隙間は実施形態１よりも少なくなる。それ以外の点において、この実施形態２のコイル間渡り線３００は、実施形態１の既述したコイル間渡り線３００と同じ効果を奏することができる。
【００６２】
（比較例）
コイル間渡り線３００の他の実施形態を上記実施形態１、２のコイル間渡り線３００に対する比較例として図９〜図１１に示す。ただし、図１１の導体収容位置配置順序は図３、図６と反対となっていることに留意されたい。
【００６３】
コイル間渡り線３００のスロット導体部は導体収容位置Ｃ２、Ｃ６間に配置されている。図９は頭部側コイルエンド１３近傍の側面図であり、図１０は頭部側コイルエンド１３のコイル間渡り線３００近傍を周方向に展開した状態を示す周方向部分展開図であり、図１１は頭部側コイルエンド１３を軸方向リヤ側からみた正面図である。
【００６４】
図９において、３００は、内側コイル１００と外側コイル２００とを相ごとに直列接続するためのコイル間渡り線である。コイル間渡り線３００は、内側コイル１００の一端と外側コイル２００の一端とを接続するコイル間渡り線である。Ｃ１〜Ｃ８はスロットの径方向に並ぶ８つの導体収容位置を示す。Ｃ１は径方向最内側の導体収容位置、Ｃ８は径方向最外側の導体収容位置を示す。コイル間渡り線３００は、所定のスロットの導体収容位置Ｃ２に収容される内側のスロット導体部３０１と、所定のスロットの導体収容位置Ｃ６に収容される外側のスロット導体部３０２と、スロット導体部３０１から延設されて内側コイル１００の小セグメント２７の頭部斜行部２７bと周方向同じ向きに斜設される内側の斜行渡り部３０３と、スロット導体部３０２から延設されて外側コイル２００の小セグメント２７の頭部斜行部２７bと周方向同じ向きに斜設される外側の斜行渡り部３０４と、２つの斜行渡り部３０３、３０４を連ねる頭部渡り部３０５とからなる。スロット導体部３０１は、内側コイル１００の最初（または最終）のスロット導体部を構成しており、スロット導体部３０２は、外側コイル２００の最終（又は最初）のスロット導体部を構成している。コイル間渡り線３００の内側の斜行渡り部３０３は、内側コイル１００の頭部斜行部２７bと径方向等位置にてそれと同一方向に斜設され、更に、コイル間渡り線３００の外側の斜行渡り部３０４は、外側コイル２００の頭部斜行部２７bと径方向等位置にてそれと同一方向に斜設されている。すなわち、コイル間渡り線３００の頭部渡り部３０５の径方向内端に連なって周方向かつ軸方向へ斜行する内側の斜行渡り部３０３は、内側コイル１００の小セグメント２７の頭部斜行部２７bの一つが占有するべき位置に配置される。また、コイル間渡り線３００の頭部渡り部３０５の径方向外端に連なって周方向かつ軸方向へ斜行する外側の斜行渡り部３０４は、外側コイル２００の小セグメント２７の頭部斜行部２７bが占有すべき位置に配置される。つまり、コイル間渡り線３００の斜行渡り部３０３が、内側コイル１００の小セグメント２７の頭部斜行部２７bと径方向等位置にてそれと同一方向に斜設され、更に、コイル間渡り線３００の斜行渡り部３０４が、外側コイル２００の小セグメント２７の頭部斜行部２７bと径方向等位置にてそれと同一方向に斜設されているため、斜行渡り部３０３、３０４から頭部渡り部３０５への連続と方向変換とが、他の小セグメント２７の各部に邪魔されることは無い。
【００６５】
次に、頭部渡り部３０５について更に詳しく説明する。頭部側コイルエンド１３のコイル間渡り線３００近傍を軸方向後方から見た状態を図１１に示す。頭部渡り部３０５は、内側コイル１００と外側コイル２００との境界部に沿いつつ周方向に延在する周方向渡り部３０５１と、内側の径方向渡り部３０５２と、外側の径方向渡り部３０５３とからなる。
【００６６】
周方向渡り部３０５１は、内側コイル１００の頭部先端部１７aと外側コイル２００の頭部先端部１７aとの間に位置して周方向へ延在するコイル間窪み部xに収容されて周方向へ延在する。内側の径方向渡り部３０５２は、周方向渡り部３０５１の一端から内側コイル１００の大セグメント１７の頭部先端部１７aの間のセグメント間隙間yに収容されて略径内方向へ延在している。ただし、この比較例では、内側の径方向渡り部３０５２は、内側コイル１００の各大セグメント１７の頭部先端部１７aの一つが占めるべき位置にて他の頭部先端部１７ａと同様に略径方向に延在していない。その代わりに、内側の径方向渡り部３０５２は、内側コイル１００の各小セグメント２７の頭部先端部２７aの一つが占めるべき位置にて他の頭部先端部２７ａと同様に略径方向に延在している。外側の径方向渡り部３０５３は、周方向渡り部３０５１の他端から外側コイル２００の大セグメント１７の頭部先端部１７aの間のセグメント間隙間zに収容される前に、図１１に示すように大セグメント１７の頭部先端部１７ａの軸方向外側に覆い被さるように屈曲した後、このセグメント間隙間z内に曲げられ、その後、反時計方向に斜行する。このため、既述した頭部側コイルエンド１３の軸方向長が増大する。また、この実施形態３のコイル間渡り線３００は、互いに周方向に隣接する大セグメント１７の二つの頭部先端部１７ａ、１７aの間のセグメント間隙間y、zが十分に確保される必要がある。また、この比較例では、コイル間渡り線３００の径方向渡り部３０５２、３０５３と大セグメント１７の頭部先端部１７ａとの間の隙間は実施形態１よりも少なくなる。なお、図５、図８、図１１において、黒く着色した領域はコイル間渡り線３００の頭部渡り部３０５の後端面をなす平坦側面である。
【００６７】
（変形態様）
既述した実施形態１、２では、コイル間渡り線３００の頭部渡り部３０５をできるだけ内側コイル１００及び外側コイル２００の大セグメント１７のＵ字状の頭部先端部１７ａの間の周方向窪み部ｘやセグメント間隙間ｙ、ｚに良好に収容されて、隣接する大セグメント１７の頭部先端部１７ａに接触することなくしかも軸方向後方への突出を抑止するべく、矩形断面の頭部渡り部３０５や斜行渡り部３０３、３０４の平坦面の姿勢を設定した。
【００６８】
このことは、コイル間渡り線３００の頭部渡り部３０５が、その周方向渡り部３０５１と径方向渡り部３０５２、３０５３との接続点にて略直角に捻られることを意味する。この捻りはステータコアの軸方向に平行な回動軸心として行われることが好適である。これにより、図３、図６に着色して示すクランク形状の後端面を形成することができる。ただし、コイル間渡り線３００を構成する平角線の矩形断面の縦横比は任意であり、矩形断面が長方形の場合には必要に応じて、幅広の側面と幅狭の側面とがコイル間窪み部x、セグメント間隙間y、zにてどの姿勢をもつか設定し、それに応じて上記捻り軸心方向も変更可能である。
【００６９】
（変形態様）
上記した実施形態１、２のコイル間渡り線３００又は比較例にて示したコイル間渡り線３００は、内側コイル１００のうちのたとえばU相コイルと外側コイル２００のうちのたとえばU相コイルとを直列接続する。
【００７０】
この時、U相コイル用のコイル間渡り線３００Uと、その他の２相のコイル間渡り線３００V、３００Wとが周方向において重なる必要がある場合も生じる。
【００７１】
この場合には、一方のコイル間渡り線を軸方向低層に配置し、他方のコイル間渡り線を軸方向において高層側に配置することにより、これら二つのコイル間渡り線が空間的に重ならないようにすることができることはもちろんである。この複数コイル間渡り線配置構造を二階建て構造と称する。この二階建て構造の一例を図１２に示す。この場合、低層側には実施形態１や２に示す軸方向長が小さいコイル間渡り線３００を用いることが好適である。図１２では実施形態１のコイル間渡り線３００を低層側に配置し、実施形態２に示すコイル間渡り線３００に相当するコイル間渡り線３００’を高層側に配置したものである。
【００７２】
（コイル間渡り線３００の展開方法の説明）
コイル間渡り線３００は、斜行渡り部３０３、３０４が形成された端部側未展開コイル間渡り線を、内側コイル１００及び外側コイル２００のための端部側未展開のＵ字導体をステータコアのスロットに嵌挿する前又は後又は同時にステータコアのスロットに挿入することができる。
【００７３】
その他、コイル間渡り線３００の斜行渡り部３０３、３０４がまだ形成されていない未展開のコイル間渡り線用導体を、内側コイル用Ｕ字導体又は外側コイル用Ｕ字導体またはそれら両方と同時に多重回動リングを用いて一斉展開してもよい。ただし、実施形態１，２で示したコイル間渡り線３００の頭部渡り部３０５には予めクランク形状を与えて、周方向渡り部３０５１、内側の径方向渡り部３０５２及び外側の径方向渡り部３０５３を形成しておく。
【００７４】
なお、未展開のコイル間渡り線用導体の展開すべき角度が、未展開の内側コイル用Ｕ字導体又は外側コイル用Ｕ字導体の展開すべき角度より大きい場合には、多重回動リングを予備的に回動して、未展開のコイル間渡り線用導体を必要角度だけ予備展開しておき、その後、内側コイル用Ｕ字導体、外側コイル用Ｕ字導体及び予備展開されたコイル間渡り線用導体を一斉展開してもよい。
【００７５】
既に周知となっているように、多重回動リングを用いた未展開Ｕ字導体や未展開のコイル間渡り線用導体（コイル間渡り線用Ｕ字導体とも言う）の展開は、これらＵ字導体の一対の脚部のうち、頭部斜行部や斜行渡り部となるべき部分を除いて多重回動リングのうちの所定のリングの孔にセットし、多重回動リングの各リングを定められた方向へたとえば半磁極ピッチ回動すればよい。この時、頭部先端部や頭部渡り部の部分は、望ましくない変形を防止するため所定の保持部材で保持することが好ましい。この種の多重回動リングによる回動やその時の頭部先端部等の形状保持機構については、たとえば特許文献２０等に詳細に記載されているので必要に応じて参照されたい。
【図面の簡単な説明】
【００７６】
【図１】実施形態１のステータコイルを採用する車両用交流発電機の軸方向断面図である。
【図２】大セグメントと小セグメントとからなるコイル用のＵ字導体ペアの模式斜視図である。
【図３】実施形態１の頭部側コイルエンド構造を示す軸方向模式側面図である。
【図４】図３の頭部側コイルエンドの部分周方向展開図である。
【図５】図３の頭部側コイルエンドを後方から見た部分正面図である。
【図６】実施形態２の頭部側コイルエンド構造を示す軸方向模式側面図である。
【図７】図６の頭部側コイルエンドの部分周方向展開図である。
【図８】図６の頭部側コイルエンドを後方から見た部分正面図である。
【図９】比較例の頭部側コイルエンド構造を示す軸方向模式側面図である。
【図１０】図９の頭部側コイルエンドの部分周方向展開図である。
【図１１】図９の頭部側コイルエンドを後方から見た部分正面図である。
【図１２】二階建てコイル間渡り線構造を示す図であり、（a）はその軸方向模式側面図、（b）はその部分周方向展開図である。
【符号の説明】
【００７７】
x      コイル間窪み部
y      セグメント間隙間
z      セグメント間隙間
Ｃ１〜Ｃ８      導体収容位置
１０      固定子
１１      ステータコア
１２      ステータコイル
１３      頭部側コイルエンド
１４      端部側コイルエンド
１７      大セグメント
１７a      頭部先端部
１７b      頭部斜行部
１７c      頭部斜行部
１７d      スロット導体部
１７e      スロット導体部
１８ａ      スロット導体部
２１ａ      端部
２２ａ      端部斜行部
２２b      端部斜行部
２３ａ      端部先端部
２３ｂ      端部先端部
２７      小セグメント
２７a      頭部先端部
２７b      頭部斜行部
２７c      頭部斜行部
２７d      スロット導体部
２７e      スロット導体部
２８ａ      スロット導体部
３１ａ      端部
３２ａ      端部斜行部
３２b      端部斜行部
３３ａ      端部先端部
３３ｂ      端部先端部
４１a      溶接部
４１b      溶接部
５０      回転子
５１      シャフト
５２      ランデル型ポールコア
５２ａ      ポールコア
５３      界磁コイル
５４      スリップリング
５６      斜流ファン
５７      遠心ファン
５８      プーリ
６１      フロントハウジング
６２      リアハウジング
６５      整流器
１００      内側コイル
２００      外側コイル
３００      コイル間渡り線
３０１      スロット導体部
３０２      スロット導体部
３０３      斜行渡り部
３０４      斜行渡り部
３０５    頭部渡り部
３０５１  周方向渡り部
３０５２  内側の径方向渡り部
３０５３  外側の径方向渡り部
【図１】
0004631631.tif 000002
【図２】
0004631631.tif 000003
【図３】
0004631631.tif 000004
【図４】
0004631631.tif 000005
【図５】
0004631631.tif 000006
【図６】
0004631631.tif 000007
【図７】
0004631631.tif 000008
【図８】
0004631631.tif 000009
【図９】
0004631631.tif 000010
【図１０】
0004631631.tif 000011
【図１１】
0004631631.tif 000012
【図１２】
0004631631.tif 000013